(57)【要約】【課題】アップダウン選局によりチャンネルが選局される場合に、短時間で選局する。【解決手段】受信したデジタル放送波から、ＰＳＩ情報とＭＰＥＧ−ＴＳ信号を抽出し、ＰＳＩ情報を用いて選局対象チャンネルのコンテンツデータを抽出する受信手段３，４，５と、ＭＰＥＧ−ＴＳ信号を識別するためのＴＳ−ＩＤと各ＭＰＥＧ−ＴＳ信号に含まれる１つ以上のチャンネルとをそれぞれ対応付けたチャンネル情報テーブルを記憶する受信情報記憶手段８と、外部からダウン選局の操作を受けた場合、チャンネル情報テーブルに記述されている順番において選局対象チャンネルの後に記述されているチャンネルのうちどのチャンネルを、次の選局対象チャンネル候補である隣接放送チャンネルとするかを決定する放送判定手段９ｂと、ダウン選局の操作を受けた場合、放送判定手段で決定された隣接放送チャンネルを受信手段７に設定する選局制御手段１０とを備える。【選択図】図１
2008252788.tif 000002
【特許請求の範囲】
【請求項１】
複数のデジタル放送波のうちの１つを受信するとともに、この受信したデジタル放送波から、ＭＰＥＧ規格に準拠したＰＳＩ情報と１つ以上のチャンネルのコンテンツデータとを含むＭＰＥＧ−ＴＳ信号を抽出し、この抽出したＭＰＥＧ−ＴＳ信号から、前記ＰＳＩ情報を抽出し、この抽出したＰＳＩ情報を用いて前記１つ以上のチャンネルのうち、外部から設定される所定の選局対象チャンネルのコンテンツデータを抽出する受信手段と、
前記複数のデジタル放送波にそれぞれ含まれる各前記ＭＰＥＧ−ＴＳ信号を識別するためのＴＳ−ＩＤと前記各ＭＰＥＧ−ＴＳ信号に含まれる前記１つ以上のチャンネルとをそれぞれ対応付けたテーブルであるチャンネル情報テーブルを記憶する受信情報記憶手段と、
外部から、前記選局対象チャンネルの次のチャンネルを選局する操作であるダウン選局の操作を受けた場合、前記チャンネル情報テーブルに記述されている順番において前記選局対象チャンネルの後に記述されているチャンネルのうちどのチャンネルを、次の選局対象チャンネル候補である隣接放送チャンネルとするかを決定する放送判定手段と、
前記ダウン選局の操作を受けた場合、前記放送判定手段で決定された隣接放送チャンネルを前記受信手段に設定する選局制御手段と
を備え、
前記放送判定手段は、
前記チャンネル情報テーブルに基づいて、前記選局対象チャンネルに対応する前記ＴＳ−ＩＤを選局ＴＳ−ＩＤとして抽出するとともに、前記チャンネル情報テーブルに記述されている順番において前記選局対象チャンネルの直後に記述されているチャンネルを隣接チャンネルとし、この隣接チャンネルに対応する前記ＴＳ−ＩＤを比較ＴＳ−ＩＤとして抽出する抽出処理を行い、この抽出処理によって抽出された前記選局ＴＳ−ＩＤと前記比較ＴＳ−ＩＤとが同一の値であるか否かを判定する判定処理を行い、
この判定処理の結果、
前記選局ＴＳ−ＩＤと前記比較ＴＳ−ＩＤとが同一の値で無いと判定した場合には、前記隣接チャンネルを前記隣接放送チャンネルと決定する一方、
前記選局ＴＳ−ＩＤと前記比較ＴＳ−ＩＤとが同一の値であった場合には、前記ＭＰＥＧ−ＴＳ信号に含まれる前記ＰＳＩ情報に、前記隣接チャンネルに関するチャンネル情報が含まれているか否かを検索する検索処理を行い、この検索処理の結果、
前記チャンネル情報が含まれていた場合には、前記隣接チャンネルを前記隣接放送チャンネルと決定し、
前記チャンネル情報が含まれていなかった場合には、前記チャンネル情報テーブルに記述されている順番において前記隣接チャンネルの直後のチャンネルを、新たな隣接チャンネルとする置き換え処理を行い、その後、この置き換えた隣接チャンネルを用いて前記抽出処理を再開し、前記隣接放送チャンネルを決定するまで、前記抽出処理、前記判定処理、前記検索処理、前記置き換え処理を繰り返し行う手段である
ことを特徴とするデジタル放送受信装置。
【請求項２】
複数のデジタル放送波のうちの１つを受信するとともに、この受信したデジタル放送波から、ＭＰＥＧ規格に準拠したＰＳＩ情報と１つ以上のチャンネルのコンテンツデータとを含むＭＰＥＧ−ＴＳ信号を抽出し、この抽出したＭＰＥＧ−ＴＳ信号から、前記ＰＳＩ情報を抽出し、この抽出したＰＳＩ情報を用いて前記１つ以上のチャンネルのうち、外部から設定される所定の選局対象チャンネルのコンテンツデータを抽出する受信手段と、
前記複数のデジタル放送波にそれぞれ含まれる各前記ＭＰＥＧ−ＴＳ信号を識別するためのＴＳ−ＩＤと前記各ＭＰＥＧ−ＴＳ信号に含まれる前記１つ以上のチャンネルとをそれぞれ対応付けたテーブルであるチャンネル情報テーブルを記憶する受信情報記憶手段と、
外部から、前記選局対象チャンネルの前のチャンネルを選局する操作であるアップ選局の操作を受けた場合、前記チャンネル情報テーブルに記述されている順番において前記選局対象チャンネルの前に記述されているチャンネルのうちどのチャンネルを、前の選局対象チャンネル候補である隣接放送チャンネルとするかを決定する放送判定手段と、
前記アップ選局の操作を受けた場合、前記放送判定手段で決定された隣接放送チャンネルを前記受信手段に設定する選局制御手段と
を備え、
前記放送判定手段は、
前記チャンネル情報テーブルに基づいて、前記選局対象チャンネルに対応する前記ＴＳ−ＩＤを選局ＴＳ−ＩＤとして抽出するとともに、前記チャンネル情報テーブルに記述されている順番において前記選局対象チャンネルの直前に記述されているチャンネルを隣接チャンネルとし、この隣接チャンネルに対応する前記ＴＳ−ＩＤを比較ＴＳ−ＩＤとして抽出する抽出処理を行い、この抽出処理によって抽出された前記選局ＴＳ−ＩＤと前記比較ＴＳ−ＩＤとが同一の値であるか否かを判定する判定処理を行い、
この判定処理の結果、
前記選局ＴＳ−ＩＤと前記比較ＴＳ−ＩＤとが同一の値で無いと判定した場合には、前記隣接チャンネルを前記隣接放送チャンネルと決定する一方、
前記選局ＴＳ−ＩＤと前記比較ＴＳ−ＩＤとが同一の値であった場合には、前記ＭＰＥＧ−ＴＳ信号に含まれる前記ＰＳＩ情報に、前記隣接チャンネルに関するチャンネル情報が含まれているか否かを検索する検索処理を行い、この検索処理の結果、
前記チャンネル情報が含まれていた場合には、前記隣接チャンネルを前記隣接放送チャンネルと決定し、
前記チャンネル情報が含まれていなかった場合には、前記チャンネル情報テーブルに記述されている順番において前記隣接チャンネルの直前のチャンネルを、新たな隣接チャンネルとする置き換え処理を行い、その後、この置き換えた隣接チャンネルを用いて前記抽出処理を再開し、前記隣接放送チャンネルを決定するまで、前記抽出処理、前記判定処理、前記検索処理、前記置き換え処理を繰り返し行う手段である、
ことを特徴とするデジタル放送受信装置。
【請求項３】
複数のデジタル放送波のうちの１つを受信するとともに、この受信したデジタル放送波から、ＭＰＥＧ規格に準拠したＰＳＩ情報と１つ以上のチャンネルのコンテンツデータとを含むＭＰＥＧ−ＴＳ信号を抽出し、この抽出したＭＰＥＧ−ＴＳ信号から、前記ＰＳＩ情報を抽出し、この抽出したＰＳＩ情報を用いて前記１つ以上のチャンネルのうち、外部から設定される所定の選局対象チャンネルのコンテンツデータを抽出する第１の受信手段及び第２の受信手段と、
前記複数のデジタル放送波にそれぞれ含まれる各前記ＭＰＥＧ−ＴＳ信号を識別するためのＴＳ−ＩＤと前記各ＭＰＥＧ−ＴＳ信号に含まれる前記１つ以上のチャンネルとをそれぞれ対応付けたテーブルであるチャンネル情報テーブルを記憶する受信情報記憶手段と、
外部から、前記選局対象チャンネルの次のチャンネルを選局する操作であるダウン選局の操作を受けた場合、前記チャンネル情報テーブルに記述されている順番において前記選局対象チャンネルの後に記述されているチャンネルのうちどのチャンネルを、次の選局対象チャンネル候補である隣接放送チャンネルとするかを決定する第１の放送判定手段及び第２の放送判定手段と、
前記ダウン選局の操作を受けた場合、前記第１の放送判定手段又は前記第２の放送判定手段で決定された隣接放送チャンネルを前記第１の受信手段に設定する選局制御手段と
を備え、
前記第１の放送判定手段は、
前記チャンネル情報テーブルに基づいて、前記選局対象チャンネルに対応する前記ＴＳ−ＩＤを選局ＴＳ−ＩＤとして抽出するとともに、前記チャンネル情報テーブルに記述されている順番において前記選局対象チャンネルの直後に記述されているチャンネルを隣接チャンネルとし、この隣接チャンネルに対応する前記ＴＳ−ＩＤを比較ＴＳ−ＩＤとして抽出する抽出処理を行い、この抽出処理によって抽出された前記選局ＴＳ−ＩＤと前記比較ＴＳ−ＩＤとが同一の値であるか否かを判定する判定処理を行い、
この判定処理の結果、
前記選局ＴＳ−ＩＤと前記比較ＴＳ−ＩＤとが同一の値であった場合には、前記ＭＰＥＧ−ＴＳ信号に含まれる前記ＰＳＩ情報に、前記隣接チャンネルに関するチャンネル情報が含まれているか否かを検索する検索処理を行い、この検索処理の結果、
前記チャンネル情報が含まれていた場合には、前記隣接チャンネルを前記隣接放送チャンネルと決定し、
前記チャンネル情報が含まれていなかった場合には、前記チャンネル情報テーブルに記述されている順番において前記隣接チャンネルの直後のチャンネルを、新たな隣接チャンネルとする置き換え処理を行い、その後、この置き換えた隣接チャンネルを用いて前記抽出処理を再開し、前記隣接放送チャンネルを決定するまで、前記抽出処理、前記判定処理、前記検索処理、前記置き換え処理を繰り返し行う手段であり、
前記第２の放送判定手段は、
前記第１の放送判定手段により前記選局ＴＳ−ＩＤと前記比較ＴＳ−ＩＤとが同一の値で無いと判定された場合に、前記チャンネル情報テーブルに基づいて、前記隣接チャンネルに対応する前記ＴＳ−ＩＤを抽出し、抽出したＴＳ−ＩＤに対応するＭＰＥＧ−ＴＳ信号を前記第２の受信手段に抽出させる信号抽出処理を行い、
前記抽出されたＭＰＥＧ−ＴＳ信号に含まれる前記ＰＳＩ情報に、前記隣接チャンネルに関するチャンネル情報が含まれているか否かを検索する検索処理を行い、この検索処理の結果、
前記チャンネル情報が含まれていた場合には、前記隣接チャンネルを前記隣接放送チャンネルと決定し、
前記チャンネル情報が含まれていなかった場合には、前記チャンネル情報テーブルに記述されている順番において前記隣接チャンネルの直後のチャンネルを、新たな隣接チャンネルとする置き換え処理を行い、その後、この置き換えた隣接チャンネルを用いて前記信号抽出処理を再開し、前記隣接放送チャンネルを決定するまで、前記信号抽出処理、前記検索処理、前記置き換え処理を繰り返し行う手段である
ことを特徴とするデジタル放送受信装置。
【請求項４】
複数のデジタル放送波のうちの１つを受信するとともに、この受信したデジタル放送波から、ＭＰＥＧ規格に準拠したＰＳＩ情報と１つ以上のチャンネルのコンテンツデータとを含むＭＰＥＧ−ＴＳ信号を抽出し、この抽出したＭＰＥＧ−ＴＳ信号から、前記ＰＳＩ情報を抽出し、この抽出したＰＳＩ情報を用いて前記１つ以上のチャンネルのうち、外部から設定される所定の選局対象チャンネルのコンテンツデータを抽出する第１の受信手段及び第２の受信手段と、
前記複数のデジタル放送波にそれぞれ含まれる各前記ＭＰＥＧ−ＴＳ信号を識別するためのＴＳ−ＩＤと前記各ＭＰＥＧ−ＴＳ信号に含まれる前記１つ以上のチャンネルとをそれぞれ対応付けたテーブルであるチャンネル情報テーブルを記憶する受信情報記憶手段と、
外部から、前記選局対象チャンネルの前のチャンネルを選局する操作であるアップ選局の操作を受けた場合、前記チャンネル情報テーブルに記述されている順番において前記選局対象チャンネルの前に記述されているチャンネルのうちどのチャンネルを、前の選局対象チャンネル候補である隣接放送チャンネルとするかを決定する第１の放送判定手段及び第２の放送判定手段と、
前記アップ選局の操作を受けた場合、前記第１の放送判定手段又は前記第２の放送判定手段で決定された隣接放送チャンネルを前記第１の受信手段に設定する選局制御手段と
を備え、
前記第１の放送判定手段は、
前記チャンネル情報テーブルに基づいて、前記選局対象チャンネルに対応する前記ＴＳ−ＩＤを選局ＴＳ−ＩＤとして抽出するとともに、前記チャンネル情報テーブルに記述されている順番において前記選局対象チャンネルの直前に記述されているチャンネルを隣接チャンネルとし、この隣接チャンネルに対応する前記ＴＳ−ＩＤを比較ＴＳ−ＩＤとして抽出する抽出処理を行い、この抽出処理によって抽出された前記選局ＴＳ−ＩＤと前記比較ＴＳ−ＩＤとが同一の値であるか否かを判定する判定処理を行い、
この判定処理の結果、
前記選局ＴＳ−ＩＤと前記比較ＴＳ−ＩＤとが同一の値であった場合には、前記ＭＰＥＧ−ＴＳ信号に含まれる前記ＰＳＩ情報に、前記隣接チャンネルに関するチャンネル情報が含まれているか否かを検索する検索処理を行い、この検索処理の結果、
前記チャンネル情報が含まれていた場合には、前記隣接チャンネルを前記隣接放送チャンネルと決定し、
前記チャンネル情報が含まれていなかった場合には、前記チャンネル情報テーブルに記述されている順番において前記隣接チャンネルの直前のチャンネルを、新たな隣接チャンネルとする置き換え処理を行い、その後、この置き換えた隣接チャンネルを用いて前記抽出処理を再開し、前記隣接放送チャンネルを決定するまで、前記抽出処理、前記判定処理、前記検索処理、前記置き換え処理を繰り返し行う手段であり、
前記第２の放送判定手段は、
前記第１の放送判定手段により前記選局ＴＳ−ＩＤと前記比較ＴＳ−ＩＤとが同一の値で無いと判定された場合に、前記チャンネル情報テーブルに基づいて、前記隣接チャンネルに対応する前記ＴＳ−ＩＤを抽出し、抽出したＴＳ−ＩＤに対応するＭＰＥＧ−ＴＳ信号を前記第２の受信手段に抽出させる信号抽出処理を行い、
前記抽出されたＭＰＥＧ−ＴＳ信号に含まれる前記ＰＳＩ情報に、前記隣接チャンネルに関するチャンネル情報が含まれているか否かを検索する検索処理を行い、この検索処理の結果、
前記チャンネル情報が含まれていた場合には、前記隣接チャンネルを前記隣接放送チャンネルと決定し、
前記チャンネル情報が含まれていなかった場合には、前記チャンネル情報テーブルに記述されている順番において前記隣接チャンネルの直前のチャンネルを、新たな隣接チャンネルとする置き換え処理を行い、その後、この置き換えた隣接チャンネルを用いて前記信号抽出処理を再開し、前記隣接放送チャンネルを決定するまで、前記信号抽出処理、前記検索処理、前記置き換え処理を繰り返し行う手段である
ことを特徴とするデジタル放送受信装置。
【発明の詳細な説明】
【技術分野】
【０００１】
本発明は、放送局により放送されるデジタル放送波を受信するデジタル放送受信装置に関する。
【背景技術】
【０００２】
デジタル放送では、放送局側からＭＰＥＧ２方式で圧縮された複数の映像音声デジタルデータが、番組情報等の付加情報と共にトランスポートストリーム（以下、ＴＳという）として多重化されて伝送される。
【０００３】
そこで、一般的なデジタル放送受信装置では、この多重化されたＴＳから、利用者が所望する特定のチャンネルの映像音声データを選択してＭＰＥＧデコードすることによって、アナログ映像／音声として利用者に提示している。
【０００４】
ＴＳには、付加情報として、各映像音声データが属するチャンネルを特定するための情報であるＰＳＩ（Program Specific Information）が含まれている。
【０００５】
このＰＳＩの中には、１つのチャンネルに属する映像音声データを特定するためのＰＭＴ（Program Map Table）や、ＴＳ内に含まれるチャンネルを特定するためのＰＡＴ（Program Association Table）等がある。
【０００６】
デジタル放送受信装置は、上記したＰＳＩを用いて特定のチャンネルへの選局を行う。
【０００７】
なお、ＰＳＩの技術内容は、ＭＰＥＧ規格書等によって既知であるので、上記以上の説明は省略する。
【０００８】
また、デジタル放送では、１つのＴＳで複数のチャンネルのコンテンツを送信可能であること、また各チャンネルのビットレートを融通しあうことができることを利用して、時間帯によってハイビジョン放送（以下、ＨＤ放送という）１チャンネルと標準放送（以下、ＳＤ放送という）３チャンネルとを切り替える運用や、放送コンテンツの延長や緊急放送等に備えて、普段は放送していない臨時放送用のチャンネル（以下、放送休止中チャンネルという）を用意する等の運用を行うことができる。
【０００９】
通常、利用者がデジタル放送のチャンネルを選局する際、リモコンのチャンネル番号ボタンを用いる以外に、＋／−ボタンを用いて選局することができる。このような＋／−ボタンを用いるアップダウン選局によってチャンネルが選局される場合、デジタル放送受信装置は放送していない放送休止中のチャンネルの受信を自動的にスキップするように制御することが好ましい。
【００１０】
ところが、利用者によって選局されたチャンネルが放送中であるか否かは、実際に選局されたチャンネルのＰＳＩ情報をＴＳから取得する必要があった。そのため、チャンネル間に放送休止中チャンネルが含まれる場合のアップダウン選局では、選局するのに余分に時間がかかる場合があった。
【００１１】
そこで、特許文献１には、全局ＳＩ情報に含まれる進行状態（停止中、非実行中、実行中、数秒以内に開始等）を示したRunning Statusに基づいて、ＰＳＩ情報を取得することなしに利用者によって選局されたチャンネルが放送中であるか否かの判定を行う受信装置が提案されている。
【特許文献１】特開２００１−１７７７７８号公報
【発明の開示】
【発明が解決しようとする課題】
【００１２】
従来の受信装置では、放送休止中のチャンネルがある場合、実際にこのチャンネルに選局しないと放送休止中であることを検出できなかった。よって、アップダウン選局を行う場合、この放送休止中のチャンネルも選局しなければならなかった。
【００１３】
特許文献１に記載の受信装置では、選局せずに放送休止中のチャンネルを検出することは可能である。しかしながら、放送局側は必ずしもRunning Statusを設定しているとは限らず、Running Statusが設定されていない場合、特許文献１に記載の受信装置では利用者によって選局されたチャンネルが放送中であるか否かの判定を行うことができないという問題があった。
【００１４】
本発明は、上記課題に鑑みてなされたものであり、放送局側のデータ設定に依存することなく放送休止中のチャンネルを検出し、この検出したチャンネルを選局せずにスキップすることで、アップダウン選局を、比較的短時間で行うことが可能なデジタル放送受信装置を提供することを目的とする。
【課題を解決するための手段】
【００１５】
上記目的を達成するため、本発明に係るデジタル放送受信装置の第１の特徴は、複数のデジタル放送波のうちの１つを受信するとともに、この受信したデジタル放送波から、ＭＰＥＧ規格に準拠したＰＳＩ情報と１つ以上のチャンネルのコンテンツデータとを含むＭＰＥＧ−ＴＳ信号を抽出し、この抽出したＭＰＥＧ−ＴＳ信号から、ＰＳＩ情報を抽出し、この抽出したＰＳＩ情報を用いて１つ以上のチャンネルのうち、外部から設定される所定の選局対象チャンネルのコンテンツデータを抽出する受信手段と、複数のデジタル放送波にそれぞれ含まれる各ＭＰＥＧ−ＴＳ信号を識別するためのＴＳ−ＩＤと各ＭＰＥＧ−ＴＳ信号に含まれる１つ以上のチャンネルとをそれぞれ対応付けたテーブルであるチャンネル情報テーブルを記憶する受信情報記憶手段と、外部から、選局対象チャンネルの次のチャンネルを選局する操作であるダウン選局の操作を受けた場合、チャンネル情報テーブルに記述されている順番において選局対象チャンネルの後に記述されているチャンネルのうちどのチャンネルを、次の選局対象チャンネル候補である隣接放送チャンネルとするかを決定する放送判定手段と、ダウン選局の操作を受けた場合、放送判定手段で決定された隣接放送チャンネルを受信手段に設定する選局制御手段とを備え、放送判定手段は、チャンネル情報テーブルに基づいて、選局対象チャンネルに対応するＴＳ−ＩＤを選局ＴＳ−ＩＤとして抽出するとともに、チャンネル情報テーブルに記述されている順番において選局対象チャンネルの直後に記述されているチャンネルを隣接チャンネルとし、この隣接チャンネルに対応するＴＳ−ＩＤを比較ＴＳ−ＩＤとして抽出する抽出処理を行い、この抽出処理によって抽出された選局ＴＳ−ＩＤと比較ＴＳ−ＩＤとが同一の値であるか否かを判定する判定処理を行い、この判定処理の結果、選局ＴＳ−ＩＤと比較ＴＳ−ＩＤとが同一の値で無いと判定した場合には、隣接チャンネルを隣接放送チャンネルと決定する一方、選局ＴＳ−ＩＤと比較ＴＳ−ＩＤとが同一の値であった場合には、ＭＰＥＧ−ＴＳ信号に含まれる前記ＰＳＩ情報に、隣接チャンネルに関するチャンネル情報が含まれているか否かを検索する検索処理を行い、この検索処理の結果、チャンネル情報が含まれていた場合には、隣接チャンネルを隣接放送チャンネルと決定し、チャンネル情報が含まれていなかった場合には、チャンネル情報テーブルに記述されている順番において隣接チャンネルの直後のチャンネルを、新たな隣接チャンネルとする置き換え処理を行い、その後、この置き換えた隣接チャンネルを用いて抽出処理を再開し、隣接放送チャンネルを決定するまで、抽出処理、判定処理、検索処理、置き換え処理を繰り返し行う手段であることにある。
【００１６】
上記目的を達成するため、本発明に係るデジタル放送受信装置の第２の特徴は、複数のデジタル放送波のうちの１つを受信するとともに、この受信したデジタル放送波から、ＭＰＥＧ規格に準拠したＰＳＩ情報と１つ以上のチャンネルのコンテンツデータとを含むＭＰＥＧ−ＴＳ信号を抽出し、この抽出したＭＰＥＧ−ＴＳ信号から、ＰＳＩ情報を抽出し、この抽出したＰＳＩ情報を用いて前記１つ以上のチャンネルのうち、外部から設定される所定の選局対象チャンネルのコンテンツデータを抽出する受信手段と、複数のデジタル放送波にそれぞれ含まれる各ＭＰＥＧ−ＴＳ信号を識別するためのＴＳ−ＩＤと各ＭＰＥＧ−ＴＳ信号に含まれる１つ以上のチャンネルとをそれぞれ対応付けたテーブルであるチャンネル情報テーブルを記憶する受信情報記憶手段と、外部から、選局対象チャンネルの前のチャンネルを選局する操作であるアップ選局の操作を受けた場合、チャンネル情報テーブルに記述されている順番において選局対象チャンネルの前に記述されているチャンネルのうちどのチャンネルを、前の選局対象チャンネル候補である隣接放送チャンネルとするかを決定する放送判定手段と、アップ選局の操作を受けた場合、放送判定手段で決定された隣接放送チャンネルを受信手段に設定する選局制御手段とを備え、放送判定手段は、チャンネル情報テーブルに基づいて、選局対象チャンネルに対応するＴＳ−ＩＤを選局ＴＳ−ＩＤとして抽出するとともに、チャンネル情報テーブルに記述されている順番において選局対象チャンネルの直前に記述されているチャンネルを隣接チャンネルとし、この隣接チャンネルに対応するＴＳ−ＩＤを比較ＴＳ−ＩＤとして抽出する抽出処理を行い、この抽出処理によって抽出された選局ＴＳ−ＩＤと比較ＴＳ−ＩＤとが同一の値であるか否かを判定する判定処理を行い、この判定処理の結果、選局ＴＳ−ＩＤと比較ＴＳ−ＩＤとが同一の値で無いと判定した場合には、隣接チャンネルを隣接放送チャンネルと決定する一方、選局ＴＳ−ＩＤと比較ＴＳ−ＩＤとが同一の値であった場合には、ＭＰＥＧ−ＴＳ信号に含まれるＰＳＩ情報に、隣接チャンネルに関するチャンネル情報が含まれているか否かを検索する検索処理を行い、この検索処理の結果、チャンネル情報が含まれていた場合には、隣接チャンネルを隣接放送チャンネルと決定し、チャンネル情報が含まれていなかった場合には、チャンネル情報テーブルに記述されている順番において隣接チャンネルの直前のチャンネルを、新たな隣接チャンネルとする置き換え処理を行い、その後、この置き換えた隣接チャンネルを用いて抽出処理を再開し、隣接放送チャンネルを決定するまで、抽出処理、判定処理、検索処理、置き換え処理を繰り返し行う手段であることにある。
【００１７】
上記目的を達成するため、本発明に係るデジタル放送受信装置の第３の特徴は、複数のデジタル放送波のうちの１つを受信するとともに、この受信したデジタル放送波から、ＭＰＥＧ規格に準拠したＰＳＩ情報と１つ以上のチャンネルのコンテンツデータとを含むＭＰＥＧ−ＴＳ信号を抽出し、この抽出したＭＰＥＧ−ＴＳ信号から、ＰＳＩ情報を抽出し、この抽出したＰＳＩ情報を用いて１つ以上のチャンネルのうち、外部から設定される所定の選局対象チャンネルのコンテンツデータを抽出する第１の受信手段及び第２の受信手段と、複数のデジタル放送波にそれぞれ含まれる各ＭＰＥＧ−ＴＳ信号を識別するためのＴＳ−ＩＤと各ＭＰＥＧ−ＴＳ信号に含まれる１つ以上のチャンネルとをそれぞれ対応付けたテーブルであるチャンネル情報テーブルを記憶する受信情報記憶手段と、外部から、選局対象チャンネルの次のチャンネルを選局する操作であるダウン選局の操作を受けた場合、チャンネル情報テーブルに記述されている順番において選局対象チャンネルの後に記述されているチャンネルのうちどのチャンネルを、次の選局対象チャンネル候補である隣接放送チャンネルとするかを決定する第１の放送判定手段及び第２の放送判定手段と、ダウン選局の操作を受けた場合、第１の放送判定手段又は第２の放送判定手段で決定された隣接放送チャンネルを第１の受信手段に設定する選局制御手段とを備え、第１の放送判定手段は、チャンネル情報テーブルに基づいて、選局対象チャンネルに対応するＴＳ−ＩＤを選局ＴＳ−ＩＤとして抽出するとともに、チャンネル情報テーブルに記述されている順番において選局対象チャンネルの直後に記述されているチャンネルを隣接チャンネルとし、この隣接チャンネルに対応するＴＳ−ＩＤを比較ＴＳ−ＩＤとして抽出する抽出処理を行い、この抽出処理によって抽出された選局ＴＳ−ＩＤと比較ＴＳ−ＩＤとが同一の値であるか否かを判定する判定処理を行い、この判定処理の結果、選局ＴＳ−ＩＤと比較ＴＳ−ＩＤとが同一の値であった場合には、ＭＰＥＧ−ＴＳ信号に含まれるＰＳＩ情報に、隣接チャンネルに関するチャンネル情報が含まれているか否かを検索する検索処理を行い、この検索処理の結果、チャンネル情報が含まれていた場合には、隣接チャンネルを隣接放送チャンネルと決定し、チャンネル情報が含まれていなかった場合には、チャンネル情報テーブルに記述されている順番において隣接チャンネルの直後のチャンネルを、新たな隣接チャンネルとする置き換え処理を行い、その後、この置き換えた隣接チャンネルを用いて抽出処理を再開し、隣接放送チャンネルを決定するまで、抽出処理、判定処理、検索処理、置き換え処理を繰り返し行う手段であり、第２の放送判定手段は、第１の放送判定手段により選局ＴＳ−ＩＤと比較ＴＳ−ＩＤとが同一の値で無いと判定された場合に、チャンネル情報テーブルに基づいて、隣接チャンネルに対応するＴＳ−ＩＤを抽出し、抽出したＴＳ−ＩＤに対応するＭＰＥＧ−ＴＳ信号を第２の受信手段に抽出させる信号抽出処理を行い、抽出されたＭＰＥＧ−ＴＳ信号に含まれるＰＳＩ情報に、隣接チャンネルに関するチャンネル情報が含まれているか否かを検索する検索処理を行い、この検索処理の結果、チャンネル情報が含まれていた場合には、隣接チャンネルを隣接放送チャンネルと決定し、チャンネル情報が含まれていなかった場合には、チャンネル情報テーブルに記述されている順番において隣接チャンネルの直後のチャンネルを、新たな隣接チャンネルとする置き換え処理を行い、その後、この置き換えた隣接チャンネルを用いて信号抽出処理を再開し、隣接放送チャンネルを決定するまで、信号抽出処理、検索処理、置き換え処理を繰り返し行う手段であることを特徴とすることにある。
【００１８】
上記目的を達成するため、本発明に係るデジタル放送受信装置の第４の特徴は、複数のデジタル放送波のうちの１つを受信するとともに、この受信したデジタル放送波から、ＭＰＥＧ規格に準拠したＰＳＩ情報と１つ以上のチャンネルのコンテンツデータとを含むＭＰＥＧ−ＴＳ信号を抽出し、この抽出したＭＰＥＧ−ＴＳ信号から、ＰＳＩ情報を抽出し、この抽出したＰＳＩ情報を用いて１つ以上のチャンネルのうち、外部から設定される所定の選局対象チャンネルのコンテンツデータを抽出する第１の受信手段及び第２の受信手段と、複数のデジタル放送波にそれぞれ含まれる各ＭＰＥＧ−ＴＳ信号を識別するためのＴＳ−ＩＤと各ＭＰＥＧ−ＴＳ信号に含まれる１つ以上のチャンネルとをそれぞれ対応付けたテーブルであるチャンネル情報テーブルを記憶する受信情報記憶手段と、外部から、選局対象チャンネルの前のチャンネルを選局する操作であるアップ選局の操作を受けた場合、チャンネル情報テーブルに記述されている順番において選局対象チャンネルの前に記述されているチャンネルのうちどのチャンネルを、前の選局対象チャンネル候補である隣接放送チャンネルとするかを決定する第１の放送判定手段及び第２の放送判定手段と、アップ選局の操作を受けた場合、第１の放送判定手段又は第２の放送判定手段で決定された隣接放送チャンネルを第１の受信手段に設定する選局制御手段とを備え、第１の放送判定手段は、チャンネル情報テーブルに基づいて、選局対象チャンネルに対応するＴＳ−ＩＤを選局ＴＳ−ＩＤとして抽出するとともに、チャンネル情報テーブルに記述されている順番において選局対象チャンネルの直前に記述されているチャンネルを隣接チャンネルとし、この隣接チャンネルに対応するＴＳ−ＩＤを比較ＴＳ−ＩＤとして抽出する抽出処理を行い、この抽出処理によって抽出された選局ＴＳ−ＩＤと比較ＴＳ−ＩＤとが同一の値であるか否かを判定する判定処理を行い、この判定処理の結果、選局ＴＳ−ＩＤと比較ＴＳ−ＩＤとが同一の値であった場合には、ＭＰＥＧ−ＴＳ信号に含まれるＰＳＩ情報に、隣接チャンネルに関するチャンネル情報が含まれているか否かを検索する検索処理を行い、この検索処理の結果、チャンネル情報が含まれていた場合には、隣接チャンネルを隣接放送チャンネルと決定し、チャンネル情報が含まれていなかった場合には、チャンネル情報テーブルに記述されている順番において隣接チャンネルの直前のチャンネルを、新たな隣接チャンネルとする置き換え処理を行い、その後、この置き換えた隣接チャンネルを用いて抽出処理を再開し、隣接放送チャンネルを決定するまで、抽出処理、判定処理、検索処理、置き換え処理を繰り返し行う手段であり、第２の放送判定手段は、第１の放送判定手段により選局ＴＳ−ＩＤと比較ＴＳ−ＩＤとが同一の値で無いと判定された場合に、チャンネル情報テーブルに基づいて、隣接チャンネルに対応するＴＳ−ＩＤを抽出し、抽出したＴＳ−ＩＤに対応するＭＰＥＧ−ＴＳ信号を第２の受信手段に抽出させる信号抽出処理を行い、抽出されたＭＰＥＧ−ＴＳ信号に含まれる前記ＰＳＩ情報に、隣接チャンネルに関するチャンネル情報が含まれているか否かを検索する検索処理を行い、この検索処理の結果、チャンネル情報が含まれていた場合には、隣接チャンネルを隣接放送チャンネルと決定し、チャンネル情報が含まれていなかった場合には、チャンネル情報テーブルに記述されている順番において隣接チャンネルの直前のチャンネルを、新たな隣接チャンネルとする置き換え処理を行い、その後、この置き換えた隣接チャンネルを用いて信号抽出処理を再開し、隣接放送チャンネルを決定するまで、信号抽出処理、検索処理、置き換え処理を繰り返し行う手段であることを特徴とすることにある。
【発明の効果】
【００１９】
本発明に係るデジタル放送受信装置によれば、現在選局中のチャンネルと同じＴＳに含まれる放送休止中のチャンネルを、放送局側のデータ設定に依存することなく検出することが可能となる。
【００２０】
従って、アップダウン選局を行う場合においても、現在選局中のチャンネルと同一ＴＳに含まれる放送休止中のチャンネルであれば、このチャンネルを選局せずにスキップすることができるので、アップダウン選局を、比較的短時間で行うことができる。
【発明を実施するための最良の形態】
【００２１】
以下、本発明を実施するための最良の形態について図面を参照して説明する。
【００２２】
＜第１の実施形態＞
図１は、本発明の第１の実施形態であるデジタル放送受信装置の構成を示したブロック図である。
【００２３】
図１に示すように、第１の実施形態であるデジタル放送受信装置１は、アンテナ２と、ネットワークインタフェースモジュール３と、デスクランブラ４と、ＭＰＥＧ＿ＴＳデマルチプレクサ５と、ＭＰＥＧデコーダ６と、選局部７と、受信情報記憶部８と、放送休止中チャンネル判定部９と、制御部１０と、表示部１１と、入力部１２とを備える。
【００２４】
ネットワークインタフェースモジュール３は、チューナー、デジタル復調、誤り訂正等の伝送系の信号処理の機能を有し、アンテナ２により受信した放送局側から放送されるデジタル放送波を受信し、この受信したデジタル放送波に含まれる複数のチャンネルの映像音声デジタルデータにＭＰＥＧ準拠の番組情報等の制御情報が付加されたトランスポートストリーム（以下、ＴＳという）として出力する。このＴＳは通常の場合１つのデジタル放送波に１つ以上含まれる。
【００２５】
デスクランブラ４は、ネットワークインタフェースモジュール３から供給されたＴＳを制御部１０の指示によりデスクランブルする。
【００２６】
図２は、デスクランブラ４によりデスクランブルされたＴＳの一例を示した説明図である。
【００２７】
図２に示すように、ＴＳは、１８８バイト固定長のトランスポートパケットで構成されている。そして、各トランスポートパケットのヘッダ部分にあるパケット識別子（ＰＩＤ）が、トランスポートパケットのペイロード部分に含まれているデータの種別を示してる。
【００２８】
このＴＳには、複数チャンネルの圧縮された映像音声信号を多重化することが可能であり、ＴＳにどのチャンネルの映像音声信号がＴＳ内のどのトランスポートストリームパケットに格納されているかを示すＰＳＩが記憶されている。
【００２９】
このＰＳＩの中には、特定のチャンネルに含まれるコンテンツ情報及びそのコンテンツを伝送しているトランスポートパケットのＰＩＤリストが記述されたＰＭＴや、ＴＳに含まれる全チャンネルの情報がＰＭＴのＰＩＤリストという形式で記述されたＰＡＴ等がある。
【００３０】
図２では、ＰＡＴを含むトランスポートパケットを“ＰＡＴ”で示している。また、ｎチャンネルのＰＭＴを含むトランスポートパケットを“ＰＭＴｎ”で示しており、ｎチャンネルの映像データを含むトランスポートパケットを“Ｖｎ”、ｎチャンネルの音声データを含むトランスポートパケットを“Ａｎ”で示している。例えば、１チャンネルのＰＭＴを含むトランスポートパケットは“ＰＭＴ１”、１チャンネルの映像データ含むトランスポートパケットを“Ｖ１”、１チャンネルの音声データ含むトランスポートパケットを“Ａｎ”で示している。
【００３１】
ＭＰＥＧ＿ＴＳデマルチプレクサ５は、制御部１０の指示により、ＴＳに含まれるＰＡＴや、ＰＭＴ等を抽出し、これらのデータに基づいてＴＳに格納された映像音声データを特定し、ＭＰＥＧデコーダ６へ供給する。
【００３２】
これらネットワークインタフェースモジュール３と、デスクランブラ４と、ＭＰＥＧ＿ＴＳデマルチプレクサ５とを合わせて、受信手段と総称する。
【００３３】
ＭＰＥＧデコーダ６は、ＭＰＥＧ＿ＴＳデマルチプレクサ５から供給された映像音声データをデコードし、映像データ及び音声データ各々を出力する。
【００３４】
選局部７は、制御部１０の指示により、複数のデジタル放送波のうち、選局対象のチャンネルが含まれるデジタル放送波を受信するようにネットワークインタフェースモジュール３に指示する。また、受信させたデジタル放送波から選局対象となる１つのチャンネルを選局する。
【００３５】
受信情報記憶部８は、ＭＰＥＧ＿ＴＳデマルチプレクサ５からネットワーク情報テーブル（以下、ＮＩＴという）を受信し、受信したＮＩＴから、放送されている全てのデジタル放送波の周波数、全チャンネル番号、及びＴＳ−ＩＤを関連付けてチャンネル情報テーブルとして記憶する。ＴＳ−ＩＤは、ＴＳを識別するための識別子である。
【００３６】
なお、ＮＩＴは、ＢＳやＣＳ等の衛星デジタル放送と地上波デジタル放送とでは得られる情報の範囲が異なる。衛星デジタル放送では、複数のデジタル放送波でそれぞれ送られてくるＮＩＴのうちいずれか１つを取得すれば、全てのチャンネル情報が得られる。しかし、地上波デジタル放送では、１つのデジタル放送波で送られてくるＮＩＴには、そのデジタル放送波で放送されているチャンネル情報しか記述されていない。従って、地上波デジタル放送の場合は、前もって全てのデジタル放送波を受信して、それぞれのＮＩＴを受信し、チャンネル情報を取得する必要がある。この処理をチャンネルサーチと呼ぶ。
【００３７】
図３は、チャンネル情報テーブルの一例を示した説明図である。図３に示すように、カラム名“チャンネル”と、カラム名“周波数”と、カラム名“ＴＳ−ＩＤ”とが関連付けられてチャンネル情報テーブルとして記憶されている。また、この図は、１つの周波数には複数のＴＳ（ＴＳ−ＩＤ）が存在し、そのうちの１つのＴＳには、更に複数のチャンネルが存在していることを示している。
【００３８】
放送休止中チャンネル判定部９は、その機能上、放送判定手段９ｂと、記憶制御手段９ｃとを有する。
【００３９】
放送判定手段９ｂは、外部から、選局対象チャンネルの次のチャンネルを選局する操作であるダウン選局の操作を受けた場合、チャンネル情報テーブルに記述されている順番において選局対象チャンネルの後に記述されているチャンネルのうちどのチャンネルを、次の選局対象チャンネル候補である隣接放送チャンネルとするかを決定する。
【００４０】
具体的には、放送判定手段９ｂは、チャンネル情報テーブルに基づいて、選局対象チャンネルに対応するＴＳ−ＩＤを選局ＴＳ−ＩＤとして抽出するとともに、チャンネル情報テーブルに記述されている順番において選局対象チャンネルの直後に記述されているチャンネルを隣接チャンネルとし、この隣接チャンネルに対応するＴＳ−ＩＤを比較ＴＳ−ＩＤとして抽出する抽出処理を行う。そして、放送判定手段９ｂは、この抽出処理によって抽出された選局ＴＳ−ＩＤと比較ＴＳ−ＩＤとが同一の値であるか否かを判定する判定処理を行い、この判定処理の結果、選局ＴＳ−ＩＤと比較ＴＳ−ＩＤとが同一の値で無いと判定した場合には、隣接チャンネルを隣接放送チャンネルと決定する。一方、放送判定手段９ｂは、選局ＴＳ−ＩＤと比較ＴＳ−ＩＤとが同一の値であった場合には、ＴＳに含まれるＰＳＩ情報に、隣接チャンネルに関するチャンネル情報が含まれているか否かを検索する検索処理を行う。そして、放送判定手段９ｂは、この検索処理の結果、チャンネル情報が含まれていた場合には、隣接チャンネルを隣接放送チャンネルと決定し、チャンネル情報が含まれていなかった場合には、チャンネル情報テーブルに記述されている順番において隣接チャンネルの直後のチャンネルを、新たな隣接チャンネルとする置き換え処理を行う。さらに放送判定手段９ｂは、この置き換えた隣接チャンネルを用いて抽出処理を再開し、隣接放送チャンネルを決定するまで、抽出処理、判定処理、検索処理、置き換え処理を繰り返し行う。
【００４１】
記憶制御手段９ｃは、放送判定手段９ｂにより決定された隣接放送チャンネルのチャンネル番号を放送チャンネルテーブルとして受信情報記憶部８へ記憶させる。
【００４２】
図４は、放送チャンネルテーブルの一例を示した説明図である。
【００４３】
図４に示すように、放送チャンネルテーブルは、選局対象チャンネルの前の選局対象チャンネル候補である隣接放送チャンネルを示すカラム名“上チャンネル”と、選局対象チャンネルの次の選局対象チャンネル候補である隣接放送チャンネルを示すカラム名“下チャンネル”とが関連付けられて記憶される。
【００４４】
制御部１０は、デジタル放送受信装置１の中枢的な役割を担い、デジタル放送受信装置１全体の制御を行う。また、制御部１０は、アップダウン選局の操作を受けた場合、放送判定手段９ｂで決定された隣接放送チャンネルを受信手段７に設定する
表示部１１は、デジタル放送受信装置１の動作状態や利用者により操作された操作状態等を表示し、入力部１２は、外部入力によるテレビジョン放送チャンネルのアップダウン選局信号を生成したり、各種設定の入力信号を生成する。
【００４５】
＜作用＞
次に、第１の実施形態であるデジタル放送受信装置１の隣接チャンネル設定処理手順について説明する。
【００４６】
図５は、選局対象チャンネルの次の選局対象チャンネル候補である隣接放送チャンネルを示す下チャンネルを特定する処理手順を示したフローチャートである。
【００４７】
まず、放送休止中チャンネル判定部９は、チャンネル情報テーブルに記述されている順番において選局対象チャンネルの直後に記述されているチャンネルである隣接チャンネルが同一ＴＳ内に存在するか否かを判定する（ステップＳ１０１）。
【００４８】
具体的には、放送休止中チャンネル判定部９の放送判定手段９ｂが、受信情報記憶部８に記憶されたチャンネル情報テーブルを読み出し、読み出したチャンネル情報テーブルから選局部７で選局されたチャンネルに対応するＴＳ−ＩＤを「選局ＴＳ−ＩＤ」として抽出する。次に、読み出したチャンネル情報テーブルから、このチャンネル情報テーブルに選局されたチャンネルに対して直後に記述されている隣接チャンネルに対応するＴＳ−ＩＤを、「比較ＴＳ−ＩＤ」として抽出する。
【００４９】
そして、放送休止中チャンネル判定部９の放送判定手段９ｂは、抽出した「選局ＴＳ−ＩＤ」の値と「比較ＴＳ−ＩＤ」の値とが同一であると判定した場合には、処理をステップＳ１０２へ移行させる。また、「選局ＴＳ−ＩＤ」の値と「比較ＴＳ−ＩＤ」の値とが同一ではないと判定した場合には、現在選局されているチャンネルを含むＴＳから隣接チャンネルのＰＳＩデータを取得できないので、処理をステップＳ１０５へ移行させる。
【００５０】
次に、放送休止中チャンネル判定部９の放送判定手段９ｂは、ＴＳのＰＡＴの中に、隣接チャンネルのＰＭＴを示すＰＩＤが存在するか否かを判定する（ステップＳ１０２）。ＰＩＤが存在すると判定した場合には、処理をステップＳ１０３へ移行させる。一方、ＰＩＤが存在しないと判定した場合には、隣接チャンネルは放送休止中であると判定する（ステップＳ１０６）。
【００５１】
そして、放送休止中チャンネル判定部９は、ＴＳのＰＡＴの中に、隣接チャンネルのＰＭＴを示すＰＩＤが存在すると判定した場合には、このＰＩＤを取得し、このＰＩＤに対応するＰＭＴの取得をＭＰＥＧ＿ＴＳデマルチプレクサ５に要求する（ステップＳ１０３）。
【００５２】
ＭＰＥＧ＿ＴＳデマルチプレクサ５は、放送休止中チャンネル判定部９から供給されたＰＩＤに対応するＰＭＴをＴＳから取得できた場合、取得したＰＭＴを放送休止中チャンネル判定部９へ供給する（ステップＳ１０４）。
【００５３】
次に、放送休止中チャンネル判定部９の記憶制御手段９ｃは、ＭＰＥＧ＿ＴＳデマルチプレクサ５からＰＭＴが供給されると、隣接チャンネルが放送中であると判定し、受信情報記憶部８に記憶された放送チャンネルテーブルの「下チャンネル番号」の値を更新する（ステップＳ１０５）。
【００５４】
また、ステップＳ１０４において、ＰＭＴをＴＳから取得できなかった場合、隣接チャンネルが放送休止中であると判定する（ステップＳ１０６）。
【００５５】
次に、放送休止中チャンネル判定部９は、放送チャンネルテーブルの「下チャンネル番号」の値が入力されている場合には、処理を終了する（ステップＳ１０７）。一方、放送チャンネルテーブルの「下チャンネル番号」の値が入力されていない場合には、処理をステップ１０１へ移行させ、チャンネル情報テーブルに記述されている順番において隣接チャンネルの直後のチャンネルを、新たな隣接チャンネルとして、上記ステップＳ１０１乃至Ｓ１０７の処理を繰り返す。
【００５６】
また、デジタル放送受信装置１は、図２の処理と同様に、選局対象チャンネルの前の選局対象チャンネル候補である隣接放送チャンネルを示す上チャンネルを特定する。
【００５７】
以上の処理より、受信情報記憶部８に記憶された放送チャンネルテーブルの「上チャンネル番号」及び「下チャンネル番号」に値が書き込まれる。
【００５８】
次に、利用者のアップダウン選局操作がなされた場合におけるデジタル放送受信装置１のチャンネル選局処理手順について説明する。
【００５９】
まず、制御部１０は、入力部１２により受信した“＋”選択信号又は“−”選択信号のアップダウン選局信号を受付け、受信情報記憶部８に記憶された放送チャンネルテーブルの「上チャンネル番号」及び「下チャンネル番号」の値を読み込む。
【００６０】
そして、例えば、入力部１２により受信したアップダウン選局信号が、“＋”選択信号であった場合には、読み込んだ「上チャンネル番号」の値を選局信号として選局部７へ送信する。同様に、入力部１２により受信しアップダウン選局信号が、“−”選択信号であった場合には、読み込んだ「下チャンネル番号」の値を選局信号として選局部７へ送信する。
【００６１】
選局信号を受け付けた選局部７は、この選局信号をネットワークインタフェースモジュール３へ送信し、ネットワークインタフェースモジュール３は、選局部７により選局されたチャンネルを選局チャンネルとして受信する。
【００６２】
以上のように、予め選局されたチャンネルと同一のＴＳ内に含まれるチャンネルの情報を取得し、放送休止中であるか否かの判定を予め行い、判定結果を記憶しておくことにより、現在選局中のチャンネルと同じＴＳに含まれる放送休止中のチャンネルを、放送局側のデータ設定に依存することなく検出することが可能となる。
【００６３】
従って、アップダウン選局を行う場合においても、現在選局中のチャンネルと同一ＴＳに含まれる放送休止中のチャンネルであれば、このチャンネルを選局せずにスキップすることができるので、アップダウン選局を、比較的短時間で行うことができる。
【００６４】
＜第２の実施形態＞
図６は、第２の実施形態であるデジタル放送受信装置１０１の構成を示すブロック図である。なお、図１に示した第１の実施形態であるデジタル放送受信装置１と同一構成部分には同一符号を付して説明は省略する。
【００６５】
図６に示すように、第２の実施形態であるデジタル放送受信装置１０１は、第１のネットワークインタフェースモジュール３１と、第１のデスクランブラ４１と、第１のＭＰＥＧ＿ＴＳデマルチプレクサ５１と、第１の放送休止中チャンネル判定部９１と、第２のネットワークインタフェースモジュール３２と、第２のデスクランブラ４２と、第２のＭＰＥＧ＿ＴＳデマルチプレクサ５２と、第２の放送休止中チャンネル判定部９２とを備える。
【００６６】
第１のネットワークインタフェースモジュール３１及び第２のネットワークインタフェースモジュール３２は、図１において説明したネットワークインタフェースモジュール３と同一構成を有する。第１のネットワークインタフェースモジュール３１は、アンテナ２により受信した放送局側から放送されたデジタル放送波を複数のチャンネルの映像音声デジタルデータに番組情報等の制御情報が付加されたトランスポートストリーム（以下、第１のＴＳという）として出力し、同様に、第２のネットワークインタフェースモジュール３２は、トランスポートストリーム（以下、第２のＴＳという）として出力する。
【００６７】
第１のデスクランブラ４１及び第２のデスクランブラ４２は、デスクランブラ４と同一構成を有する。第１のデスクランブラ４１は、第１のネットワークインタフェースモジュール３１から供給された第１のＴＳを制御部１０の指示によりデスクランブルし、第２のデスクランブラ４２は、第２のネットワークインタフェースモジュール３２から供給された第２のＴＳを制御部１０の指示によりデスクランブルする。
【００６８】
第１のＭＰＥＧ＿ＴＳデマルチプレクサ５１及び第２のＭＰＥＧ＿ＴＳデマルチプレクサ５２は、ＭＰＥＧ＿ＴＳデマルチプレクサ５と同一構成を有する。第１のＭＰＥＧ＿ＴＳデマルチプレクサ５１は、制御部１０の指示により、第１のＴＳに含まれるＰＡＴやＰＡＴ等を抽出し、これらに基づいて第１のＴＳに格納された映像音声データを特定し、ＭＰＥＧデコーダ６へ供給する。第２のＭＰＥＧ＿ＴＳデマルチプレクサ５２も同様に、第２のＴＳに含まれるＰＡＴやＰＡＴ等を抽出し、これらに基づいて第２のＴＳに格納された映像音声データを特定し、ＭＰＥＧデコーダ６へ供給する。
【００６９】
第１の放送休止中チャンネル判定部９１及び第２の放送休止中チャンネル判定部９２は、放送休止中チャンネル判定部９と同一の構成を有する。
【００７０】
第１の放送判定手段９１ｂは、選局対象チャンネルの次のチャンネルを選局する操作であるアップ選局の操作を受けた場合、チャンネル情報テーブルに記述されている順番において選局対象チャンネルの後に記述されているチャンネルのうちどのチャンネルを、次の選局対象チャンネル候補である隣接放送チャンネルとするかを決定する。
【００７１】
具体的には、第１の放送判定手段９１ｂは、チャンネル情報テーブルに基づいて、選局対象チャンネルに対応するＴＳ−ＩＤを選局ＴＳ−ＩＤとして抽出するとともに、チャンネル情報テーブルに記述されている順番において選局対象チャンネルの直後に記述されているチャンネルを隣接チャンネルとし、この隣接チャンネルに対応するＴＳ−ＩＤを比較ＴＳ−ＩＤとして抽出する抽出処理を行う。また、第１の放送判定手段９１ｂは、この抽出処理によって抽出された選局ＴＳ−ＩＤと比較ＴＳ−ＩＤとが同一の値であるか否かを判定する判定処理を行い、この判定処理の結果、選局ＴＳ−ＩＤと比較ＴＳ−ＩＤとが同一の値であった場合には、ＭＰＥＧ−ＴＳ信号に含まれるＰＳＩ情報に、隣接チャンネルに関するチャンネル情報が含まれているか否かを検索する検索処理を行う。そして、第１の放送判定手段９１ｂは、この検索処理の結果、チャンネル情報が含まれていた場合には、隣接チャンネルを隣接放送チャンネルと決定し、チャンネル情報が含まれていなかった場合には、チャンネル情報テーブルに記述されている順番において隣接チャンネルの直後のチャンネルを、新たな隣接チャンネルとする置き換え処理を行う。さらに第１の放送判定手段９１ｂは、この置き換えた隣接チャンネルを用いて抽出処理を再開し、隣接放送チャンネルを決定するまで、抽出処理、判定処理、検索処理、置き換え処理を繰り返し行う。
【００７２】
第１の記憶制御手段９１ｃは、第１の放送判定手段９１ｂにより決定された隣接放送チャンネルのチャンネル番号を放送チャンネルテーブルとして受信情報記憶部８に記憶させる。
【００７３】
第２の放送休止中チャンネル判定部９２は、その機能上、第２の放送判定手段９２ｂと、第２の記憶制御手段９２ｃとを備える。
【００７４】
第２の放送判定手段９２ｂは、第１の放送判定手段９１ｂと同様に、選局対象チャンネルの次のチャンネルを選局する操作であるアップ選局の操作を受けた場合、チャンネル情報テーブルに記述されている順番において選局対象チャンネルの後に記述されているチャンネルのうちどのチャンネルを、次の選局対象チャンネル候補である隣接放送チャンネルとするかを決定する。
【００７５】
具体的には、第２の放送判定手段９２ｂは、第１の放送判定手段９１ｂにより選局ＴＳ−ＩＤと比較ＴＳ−ＩＤとが同一の値で無いと判定された場合に、チャンネル情報テーブルに基づいて、隣接チャンネルに対応するＴＳ−ＩＤを抽出し、抽出したＴＳ−ＩＤに対応する第２のＴＳを第２のＭＰＥＧ＿ＴＳデマルチプレクサ５２に抽出させる信号抽出処理を行う。そして、第２の放送判定手段９２ｂは、抽出されたＴＳに含まれるＰＳＩ情報に、隣接チャンネルに関するチャンネル情報が含まれているか否かを検索する検索処理を行い、この検索処理の結果、チャンネル情報が含まれていた場合には、隣接チャンネルを隣接放送チャンネルと決定する。一方、第２の放送判定手段９２ｂは、チャンネル情報が含まれていなかった場合には、チャンネル情報テーブルに記述されている順番において隣接チャンネルの直後のチャンネルを、新たな隣接チャンネルとする置き換え処理を行う。さらに、第２の放送判定手段９２ｂは、この置き換えた隣接チャンネルを用いて信号抽出処理を再開し、隣接放送チャンネルを決定するまで、信号抽出処理、検索処理、置き換え処理を繰り返し行う。
【００７６】
第２の記憶制御手段９２ｃは、第２の放送判定手段９２ｂにより決定された隣接放送チャンネルのチャンネル番号を放送チャンネルテーブルとして受信情報記憶部８に記憶させる。
【００７７】
＜作用＞
次に、第２の実施形態に係るデジタル放送受信装置１０１の隣接チャンネル設定処理手順について説明する。
【００７８】
図７は、選局対象チャンネルの次の選局対象チャンネル候補である隣接放送チャンネルを示す下チャンネルを特定する処理手順を示したフローチャートである。
【００７９】
まず、第１の放送休止中チャンネル判定部９１は、チャンネル情報テーブルに記述されている順番において選局対象チャンネルの後に記述されているチャンネルである隣接チャンネルが同一ＴＳ内に存在するか否かを判定する（ステップＳ１０１）。
【００８０】
具体的には、第１の放送休止中チャンネル判定部９１の第１の放送判定手段９１ｂが、受信情報記憶部８に記憶されたチャンネル情報テーブルを読み出し、読み出したチャンネル情報テーブルから選局チャンネルに対応するＴＳ−ＩＤを「選局ＴＳ−ＩＤ」として抽出する。次に、読み出したチャンネル情報テーブルから、チャンネル情報テーブルに記述されている順番において選局対象チャンネルの後に記述されているチャンネルである隣接チャンネルに対応するＴＳ−ＩＤを、「比較ＴＳ−ＩＤ」として抽出する。
【００８１】
そして、第１の放送休止中チャンネル判定部９１の第１の放送判定手段９１ｂは、抽出した「選局ＴＳ−ＩＤ」の値と「比較ＴＳ−ＩＤ」の値とが同一であると判定した場合には、処理をステップＳ１０２へ移行させる。
【００８２】
また、「選局ＴＳ−ＩＤ」の値と「比較ＴＳ＿ＩＤ」の値とが同一ではないと判定した場合には、隣接チャンネルを含むＴＳを第２のＴＳとして選局する（ステップＳ１０８）。具体的には、第２の放送休止中チャンネル判定部９２の第２の放送判定手段９２ｂが、第１の放送休止中チャンネル判定部９１により読み出されたチャンネル情報テーブルから、隣接チャンネルを含むＴＳ−ＩＤを抽出し、抽出したＴＳ−ＩＤに対応するＴＳを第２のＴＳとして、この第２のＴＳを含むデジタル放送波を第２のネットワークインタフェースモジュール３２に受信させる。
【００８３】
次に、第２の放送休止中チャンネル判定部９２は、第２のＴＳからＰＡＴを取得するよう第２のＭＰＥＧ＿ＴＳデマルチプレクサ５２に要求する（ステップＳ１０９）。
【００８４】
そして、第２のＭＰＥＧ＿ＴＳデマルチプレクサ５２が、第２のＴＳからＰＡＴを取得できた場合、取得したＰＡＴを第２の放送休止中チャンネル判定部９２へ供給する（ステップＳ１１０）。
【００８５】
そして、ＰＡＴが供給された第２の放送休止中チャンネル判定部９２は、ステップＳ１０３乃至Ｓ１０７に従って処理を行う。ステップＳ１０３乃至Ｓ１０７の処理内容については、図５で説明した処理内容と同様であるので、説明は省略する。
【００８６】
一方、ステップＳ１１０において、第２のＭＰＥＧ＿ＴＳデマルチプレクサ５２が、第２のＴＳからＰＡＴを取得できなかった場合、第２の放送休止中チャンネル判定部９２の第２の放送判定手段９２ｂは、隣接チャンネルが放送休止中であると判定する（ステップＳ１１１）。
【００８７】
そして、第２の放送休止中チャンネル判定部９２は、チャンネル情報テーブルに記述されている順番において隣接チャンネルの直後のチャンネルを、新たな隣接チャンネルとして、この隣接チャンネルのコンテンツデータが第２のＴＳ内に存在するか否かを判定する（ステップＳ１１２）。
【００８８】
次に、第２の放送休止中チャンネル判定部９２により、第２のＴＳ内に存在すると判定された場合には、処理をステップＳ１１１へ移行させ、第２のＴＳ内に存在しないと判定された場合には、処理をステップＳ１０８へ移行させる。
【００８９】
これにより、第２の放送休止中チャンネル判定部９２は、下チャンネルを含むＰＡＴを取得するまで、他のＴＳも検索するので、確実に下チャンネルのチャンネル番号を特定ことができ、受信情報記憶部８に記憶された放送チャンネルテーブルの「下チャンネル番号」の値を更新することができる。
【００９０】
また、図７の処理と同様に、デジタル放送受信装置１０１は、選局対象チャンネルの前の選局対象候補である隣接放送チャンネルを示す上チャンネルを特定することができる。
【００９１】
以上のように、選局チャンネルと同一のＴＳ内のみならず、選局チャンネルを含むＴＳと異なるＴＳに含まれるチャンネルの情報を予め取得し、放送休止中であるか否かの判定を予め行い判定結果を記憶しておくことにより、確実に隣接放送チャンネルのチャンネル番号を特定ことができる。そして、利用者の操作によるアップダウン選局によりチャンネルが選局される場合に、放送局側による放送状態データの設定に依存することなく、より短時間で選局することができる。
【００９２】
＜第３の実施形態＞
図８は、第３の実施形態であるデジタル放送受信装置１０２の構成を示すブロック図である。なお、図６に示した第２の実施形態であるデジタル放送受信装置１０１と同一構成部分には同一符号を付して説明は省略する。
【００９３】
図８に示すように、第３の実施形態であるデジタル放送受信装置１０２は、第２の実施形態であるデジタル放送受信装置１０１の構成に加え、更に第３のネットワークインタフェースモジュール３３と、第３のデスクランブラ４３と、第３のＭＰＥＧ＿ＴＳデマルチプレクサ５３と、第３の放送休止中チャンネル判定部９３とを備える。
【００９４】
第３のネットワークインタフェースモジュール３３は、第１のネットワークインタフェースモジュール３１と同様に、チューナー、デジタル復調、誤り訂正等の伝送系の信号処理の機能を有し、アンテナ２により受信した放送局側から放送されたデジタル放送波を複数のチャンネルの映像音声デジタルデータに番組情報等の制御情報が付加された第３のトランスポートストリーム（以下、第３のＴＳという）として出力する。
【００９５】
第３のデスクランブラ４３は、第１のデスクランブラ４１と同様に、第３のネットワークインタフェースモジュール３３から供給された第３のＴＳを制御部１０の指示によりデスクランブルする。
【００９６】
第３のＭＰＥＧ＿ＴＳデマルチプレクサ５３は、第１のＭＰＥＧ＿ＴＳデマルチプレクサ５１と同様に、制御部１０の指示により、第３のＴＳに含まれるＰＡＴ、やＰＡＴ等を抽出し、これらに基づいてＴＳに格納された映像音声データを特定し、ＭＰＥＧデコーダ６へ供給する。
【００９７】
第２の放送休止中チャンネル判定部９２は、その機能上、第２の放送判定手段９２ｂと、第２の記憶制御手段９２ｃとを備える。
【００９８】
第２の放送判定手段９２ｂは、選局対象チャンネルの次のチャンネルを選局する操作であるダウン選局の操作を受けた場合、チャンネル情報テーブルに記述されている順番において選局対象チャンネルの後に記述されているチャンネルのうちどのチャンネルを、次の選局対象チャンネル候補である隣接放送チャンネルとするかを決定する。
【００９９】
具体的には、第２の放送判定手段９２ｂは、第１の放送判定手段９１ｂにより選局ＴＳ−ＩＤと比較ＴＳ−ＩＤとが同一の値で無いと判定された場合に、チャンネル情報テーブルに基づいて、隣接チャンネルに対応するＴＳ−ＩＤを抽出し、抽出したＴＳ−ＩＤに対応するＴＳを第２のＭＰＥＧ＿ＴＳデマルチプレクサ５２に抽出させる信号抽出処理を行う。そして、第２の放送判定手段９２ｂは、抽出されたＴＳに含まれるＰＳＩ情報に、隣接チャンネルに関するチャンネル情報が含まれているか否かを検索する検索処理を行い、この検索処理の結果、チャンネル情報が含まれていた場合には、隣接チャンネルを隣接放送チャンネルと決定する。一方、第２の放送判定手段９２ｂは、チャンネル情報が含まれていなかった場合には、チャンネル情報テーブルに記述されている順番において隣接チャンネルの直後のチャンネルを、新たな隣接チャンネルとする置き換え処理を行う。さらに、第２の放送判定手段９２ｂは、この置き換えた隣接チャンネルを用いて信号抽出処理を再開し、隣接放送チャンネルを決定するまで、信号抽出処理、検索処理、置き換え処理を繰り返し行う。
【０１００】
第２の記憶制御手段９２ｃは、第２の放送判定手段９２ｂにより決定された隣接放送チャンネルのチャンネル番号を放送チャンネルテーブルとして受信情報記憶部８に記憶させる。
【０１０１】
第３の放送休止中チャンネル判定部９３は、その機能上、第３の放送判定手段９３ｂと、第２の記憶制御手段９３ｃとを備える。
【０１０２】
第３の放送判定手段９３ｂは、選局対象チャンネルの前のチャンネルを選局する操作であるアップ選局の操作を受けた場合、チャンネル情報テーブルに記述されている順番において選局対象チャンネルの後に記述されているチャンネルのうちどのチャンネルを、前の選局対象チャンネル候補である隣接放送チャンネルとするかを決定する。
【０１０３】
具体的には、第３の放送判定手段９３ｂは、第１の放送判定手段９１ｂにより選局ＴＳ−ＩＤと比較ＴＳ−ＩＤとが同一の値で無いと判定された場合に、チャンネル情報テーブルに基づいて、隣接チャンネルに対応するＴＳ−ＩＤを抽出し、抽出したＴＳ−ＩＤに対応するＴＳを第３のＭＰＥＧ＿ＴＳデマルチプレクサ５３に抽出させる信号抽出処理を行う。そして、第３の放送判定手段９３ｂは、抽出されたＴＳに含まれるＰＳＩ情報に、隣接チャンネルに関するチャンネル情報が含まれているか否かを検索する検索処理を行い、この検索処理の結果、チャンネル情報が含まれていた場合には、隣接チャンネルを隣接放送チャンネルと決定する。一方、第３の放送判定手段９３ｂは、チャンネル情報が含まれていなかった場合には、チャンネル情報テーブルに記述されている順番において隣接チャンネルの直前のチャンネルを、新たな隣接チャンネルとする置き換え処理を行う。さらに、第３の放送判定手段９３ｂは、この置き換えた隣接チャンネルを用いて信号抽出処理を再開し、隣接放送チャンネルを決定するまで、信号抽出処理、検索処理、置き換え処理を繰り返し行う。
【０１０４】
第３の記憶制御手段９３ｃは、第３の放送判定手段９３ｂにより決定された隣接放送チャンネルのチャンネル番号を放送チャンネルテーブルとして受信情報記憶部８に記憶させる。
【０１０５】
このように、第３の実施形態であるデジタル放送受信装置１０２では、第２の放送休止中チャンネル判定部９２が、選局チャンネルを含むＴＳと異なるＴＳに含まれる選局対象チャンネルの次の選局対象チャンネル候補である隣接チャンネルの情報を予め取得すると共に、第３の放送休止中チャンネル判定部９３が、選局チャンネルを含むＴＳと異なるＴＳに含まれる選局対象チャンネルの次の選局対象チャンネル候補である隣接チャンネルの情報を予め取得する。そして、取得した情報に基づいて、これら隣接チャンネルが放送休止中であるか否かの判定を予め行うことによって、放送休止中であるか否かの判定をより素早く行うことができる。
【図面の簡単な説明】
【０１０６】
【図１】本発明の第１の実施形態であるデジタル放送受信装置の構成を示したブロック図である。
【図２】デスクランブラによりデスクランブルされたＴＳの一例を示した説明図である。
【図３】チャンネル情報テーブルの一例を示した説明図である。
【図４】放送チャンネルテーブルの一例を示した説明図である。
【図５】選択対象チャンネルの次の選択対象チャンネル候補である隣接放送チャンネルを示す下チャンネルを特定する処理手順を示したフローチャートである。
【図６】第２の実施形態であるデジタル放送受信装置の構成を示すブロック図である。
【図７】第２の実施形態であるデジタル放送受信装置により、選択対象チャンネルの次の選択対象チャンネル候補である隣接放送チャンネルを示す下チャンネルを特定する処理手順を示したフローチャートである。
【図８】第３の実施形態であるデジタル放送受信装置の構成を示すブロック図である。
【符号の説明】
【０１０７】
１，１０１，１０２…デジタル放送受信装置
２…アンテナ
３，３１…ネットワークインタフェースモジュール（受信手段）
４，４１…デスクランブラ（受信手段）
５，５１…ＭＰＥＧ＿ＴＳデマルチプレクサ（受信手段）
６…ＭＰＥＧデコーダ
７…選局部
８…受信情報記憶部
９，９１…放送休止中チャンネル判定部
９ｂ，９１ｂ…放送判定手段
９ｃ，９１ｃ…記憶制御手段
１０…制御部
１１…表示部
１２…入力部
３２…第２のネットワークインタフェースモジュール（第２の受信手段）
４２…第２のデスクランブラ（第２の受信手段）
５２…第２のＭＰＥＧ＿ＴＳデマルチプレクサ（第２の受信手段）
９２…第２の放送休止中チャンネル判定部
９２ｂ…第２の放送判定手段
９２ｃ…第２の記憶制御手段
３３…第３のネットワークインタフェースモジュール（第３の受信手段）
４３…第３のデスクランブラ（第３の受信手段）
５３…第３のＭＰＥＧ＿ＴＳデマルチプレクサ（第３の受信手段）
９３…第３の放送休止中チャンネル判定部
９３ｂ…第３の放送判定手段
９３ｃ…第３の記憶制御手段
【図１】
2008252788.tif 000003
【図２】
2008252788.tif 000004
【図３】
2008252788.tif 000005
【図４】
2008252788.tif 000006
【図５】
2008252788.tif 000007
【図６】
2008252788.tif 000008
【図７】
2008252788.tif 000009
【図８】
2008252788.tif 000010